(57)【特許請求の範囲】
【請求項１】
パレットを高さ方向に移動可能なパレットリフトと、
前記パレットリフトの上側に近接して配置されそれにより前記パレットリフトに支えられるパレット上に物体を配置可能なパレタイジング装置と、
前記パレタイジング装置の上側の少なくとも一部が第１の支持表面上に立つ操作者にアクセス可能であるように前記パレタイジング装置の下に前記パレタイジング装置から第１の距離で配置される前記第１の支持表面と、
前記パレタイジング装置の下側の少なくとも一部が第２の支持表面上に立つ操作者にアクセス可能であるように前記第１の支持表面の下に前記第１の支持表面から第２の距離で配置される前記第２の支持表面と、を備える、アセンブリ。
【請求項２】
前記第１の距離は実質的に０．５〜１．１メートルである、請求項１に記載のアセンブリ。
【請求項３】
前記第１の距離は実質的に０．６〜１．０メートルである、請求項２に記載のアセンブリ。
【請求項４】
前記第１の距離は実質的に０．７〜０．９メートルである、請求項３に記載のアセンブリ。
【請求項５】
前記第２の距離は最大１．５メートルである、請求項１から４のいずれか１つに記載のアセンブリ。
【請求項６】
前記第２の距離は最大１．４メートルである、請求項５に記載のアセンブリ。
【請求項７】
前記第２の距離は最大１．３メートルである、請求項６に記載のアセンブリ。
【請求項８】
前記第１の支持表面は少なくとも１つの長手方向部分および前記長手方向部分に横断的に配置される少なくとも１つの横断部分とを備え、前記第１の支持表面は前記パレタイジング装置の少なくとも２つの側面と隣接し前記少なくとも２つの側面を操作者にアクセス可能とする、請求項１から７のいずれか１つに記載のアセンブリ。
【請求項９】
前記第２の支持表面は少なくとも１つの長手方向部分および前記長手方向部分に横断的に配置される少なくとも１つの横断部分とを備え、前記第２の支持表面は前記パレットリフトに少なくとも２つの側面において隣接し前記パレットリフト上に存在するパレットを操作者にアクセス可能とする、請求項１から８のいずれか１つに記載のアセンブリ。
【請求項１０】
前記第２の支持表面は１またはそれ以上のさらなる長手方向部分が提供され少なくとも３つの側面において前記パレットリフトを少なくとも部分的に取り囲む、請求項９に記載のアセンブリ。
【請求項１１】
前記第１の支持表面および前記第２の支持表面の前記横断部分は互いにずれて配置され、前記第１の支持表面は前記第２の支持表面の前記横断部分上に凹部を有する、請求項８から１０のいずれか１つに記載のアセンブリ。
【請求項１２】
前記第１の支持表面の少なくとも１つの長手方向部分は前記物体が前記パレタイジング装置に供給される前記パレタイジング装置の供給側に提供される、請求項８から１１のいずれか１つに記載のアセンブリ。
【請求項１３】
１またはそれ以上の階段および／または梯子が前記第１の支持表面と前記第２の支持表面との間に設けられる、請求項１１または１２に記載のアセンブリ。
【請求項１４】
前記第１の支持表面の少なくとも１つの横断部分および／または前記第２の支持表面の少なくとも１つの横断部分は２つの隣接して配置されるパレットリフトおよび／またはパレタイジング装置がそこからアクセス可能なよう表面エリアを備える、請求項８から１３のいずれか１つに記載のアセンブリ。
【発明の詳細な説明】
【技術分野】
【０００１】
本発明は、
パレットを高さ方向に移動可能なパレットリフトと、
パレットリフトの上側に近接して配置されそれによりパレットリフトに支えられるパレット上に物体を配置可能なパレタイジング装置と、
パレタイジング装置の上側の少なくとも一部が第１の支持表面上に立つ操作者にアクセス可能であるようにパレタイジング装置の下に第１の距離で配置される第１の支持表面と、を備えるアセンブリに関する。
【背景技術】
【０００２】
この構成はしばしば適用され、層上への挿入シートの配置、故障の修復またはメンテナンス操作の実行の目的でパレタイジング装置の下側はアクセス可能性に乏しいという重大な欠点を有している。
【発明の概要】
【発明が解決しようとする課題】
【０００３】
本発明は上述したタイプのアセンブリを提供することをその目的とし、前記欠点は起こらないか少なくともより低い程度とする。
【課題を解決するための手段】
【０００４】
前記目的は
パレットを高さ方向に移動可能なパレットリフトと、
パレットリフトの上側に近接して配置されそれによりパレットリフトに支えられたパレット上に物体を配置可能なパレタイジング装置と、
パレタイジング装置の上側の少なくとも一部が第１の支持表面上に立つ操作者からアクセス可能であるようにパレタイジング装置の下に第１の距離で配置される第１の支持表面と、
パレタイジング装置の下側の少なくとも一部が第２の支持表面上に立つ操作者からアクセス可能であるように第１の支持表面の下に第２の距離で配置された第２の支持表面と、を備える本発明によるアセンブリにより達成される。
【０００５】
アセンブリは第１の支持表面の下に第２の距離でさらに第２の支持表面を備えるので、第２の、低い側に横たわる支持表面上に位置する操作者は快適な方法でパレタイジング装置の下側の少なくとも一部に届くことができる。したがって操作者はたとえばパレット上にパレタイジング装置によって配置された物体の層上に物体の次の層がおろされる前に挿入シートの位置づけおよび／またはその位置の修正ができる。
【０００６】
第１の支持表面はパレットリフトの上側に近接して配置され、パレタイジング装置はこの第１の支持表面上に立つ操作者にアクセス可能である。
【０００７】
第１の支持表面および／または第２の支持表面は構築物の一部であってもよいことに留意されたい。第１および／または第２の支持表面は択一的にパレットリフトおよびパレタイジング装置のアセンブリ上またはフレームを介して地面上に支持される。
【０００８】
好ましい実施形態によれば、パレタイジング装置は物体をその上に形成するための形成表面を備え、形成表面の下に第１の表面が配置される第１の距離は実質的に０．５〜１．１メートル、より好ましくは実質的に０．６〜１．０メートル、さらにより好ましくは０．７メートル〜０．９メートルである。０．８メートルの第１の距離は平均的な身長を有する大人の操作者がパレタイジング装置の上方に届くことを可能とするために理想的であることが判明した。
【０００９】
９５％位数のヨーロッパの成人男性は約１．８５メートルの伸長を有し、腕を上側に十分に伸ばすとその高さは約２．２６メートルに達する。前方向に伸ばした時、腕の長さは約０．８４メートルである。
【００１０】
平均的な身長を有する大人の操作者が、第２の表面上に立つときに、そこからパレタイジング装置の下側の少なくとも一部に届くことを可能とするために、さらに好ましい実施形態によれば第２の表面が第１の表面の下に配置される第２の距離は最大１．５メートル、より好ましくは最大１．４メートル、さらにより好ましくは最大１．３メートルである。
【００１１】
パレタイジング装置の形成表面は、たとえば出願人により供給される商標登録ＱＩＭＡＲＯＸ  ＨＩＧＨＲＵＮＮＥＲ  Ｍｋ７のケースのように、実際には、パレタイジング装置の下側に近接して位置する。２つの支持表面の間が最大の１．５メートルにおいて下側に横たわる第２の支持表面からパレタイジング装置の形成表面までの最大距離は合計約１．５＋０．８＝２．３メートルである。この距離は９５％位数のヨーロッパの成人男性が高さ方向に腕を伸ばした時に達する高さ方向の距離に相当する。
【００１２】
さらに好ましい実施形態によれば、少なくとも１つの長手方向部分と長手方向部分に横断的に配置される少なくとも１つの横断部分とを備え、第１の支持表面はパレタイジング装置の少なくとも２つの側面に隣接し、この後者を操作者にアクセス可能とする。横断部分および長手方向部分はパレタイジング装置上の少なくとも２つの（接続した）側面を操作者にアクセス可能とし、彼／彼女はさらなる手助けなくパレタイジング装置の少なくとも形成表面に届くことができる。
【００１３】
さらに他の好ましい実施形態によれば、第２の支持表面は少なくとも１つの長手方向部分および長手方向部分に横断的に配置された少なくとも１つの横断部分とを備え、第２の支持表面は少なくとも２つの側面上でパレットリフトに隣接し、パレットリフト上に存在するパレットを操作者にアクセス可能とする。パレットリフトおよびその上に存在するパレットはまたパレットリフトの少なくとも２つの（接続した）側面へのアクセスを有するときに操作者に容易にアクセス可能である。
【００１４】
さらに好ましい実施形態によれば、第２の支持表面には１またはより多くの長手方向部分が設けられ少なくとも３つの側面においてパレットリフトを少なくとも部分的に包み込むときに特に有利である。したがってパレットリフトによって運ばれるパレットが容易にアクセス可能となるだけではなく、パレットリフトそれ自体もまた故障の修復および（メンテナンス）操作の目的で容易にアクセス可能である。
【００１５】
第１および第２の支持表面の間の最大１．５メートルの限定された高さの差異により、成人には利用可能な十分な頭上スペースがなく、下側に横たわる第２の支持表面上に位置する時、上側の第１の支持表面に衝突したりこれによって怪我をするおそれがある。これはさらに好ましい他の実施形態によれば、第１の支持表面および第２の支持表面の横断部分が互いにずれて配置され、第２の支持表面の横断部分上で第１の支持表面に凹部が設けられるときに効果的に防止される。これにより人がかがんだり、あるいは這って第１の支持表面に沿って移動しなければならないこともまた防止される。
【００１６】
このパレタイジング装置はパレット上に形成され配置されるべき物体を有する供給コンベアを介して提供される。生じうる故障の修復の目的でこの供給コンベアに容易にアクセス可能とするために、第１の支持表面は、供給コンベアを介して物体が供給されるパレタイジング装置の少なくとも１つの側面に好ましくは位置する。さらに好ましい他の実施形態によれば、第１の支持表面の少なくとも１つの長手方向部分はこうして物体がパレタイジング装置に供給されるパレタイジング装置の供給側に提供される。
【００１７】
安全性を増すために、さらに好ましい他の実施形態において第１の支持表面および第２の支持表面の間に１またはそれ以上の階段および／または梯子が提供される。これらの階段および／または梯子は操作者がその他の支持表面介してある支持表面の他の部分への移動を可能とする。パレタイジング装置の供給コンベアの第１の側面上の第１の支持表面に位置した操作者はこうして階段または梯子を介して低位の第２の支持表面に移動可能である。操作者はこの低位の第２の支持表面上でリフトの周りを安全に移動でき他の側面で階段または梯子を介して第１の支持表面に戻ることができる。操作者はこうして供給コンベアの第１の側面から第２の側面に、操作者自身が安全でないこのコンベアを跨いだりその下を這ったりすることなく移動できる。操作者は第２の支持表面を介してその周囲を安全に歩くことができる。
【００１８】
工場組立において複数のパレットリフトのアセンブリおよび関連するパレタイジング装置は概ね互いに隣接して位置する。本発明の他の好ましい実施形態によれば第１の支持表面の少なくとも１つの横断部分および／または第２の支持表面の少なくとも１つの横断部分は２つの隣接して配置されるパレットリフトおよび／またはパレタイジング装置がそこからアクセス可能なように表面領域を備える。
【００１９】
本発明の好ましい実施形態は図を参照して以下の説明によりさらに詳述される。
【図面の簡単な説明】
【００２０】
【図１】本発明による支持表面を有する３セットのパレットリフトおよび関連するパレタイジング装置を有する工場組立の斜視図である。
【図２】図１に示された組立の背面からの斜視図である。
【図３】図１に示された組立を底面から斜めに見上げた斜視図である。
【図４】図１から図３に示された組立の上面図である。
【図５】図４による上面図であり第１の支持表面が概略的に示される。
【図６】図４による上面図であり第２の支持表面が概略的に示される。
【図７】本発明による６つの、支持表面を有する関連するパレタイジング装置を有するパレットリフトの上面図を示す。
【発明を実施するための形態】
【００２１】
図１から図３に示された斜視図は３つのパレットリフト２を示し、パレットリフト２の上側に近接してパレットリフト２に支持されたパレット５４上に物体を配置可能なパレタイジング装置１４が配置される。パレットリフト２はフレーム４およびモータ６を用いるガイド８を介してフレームに沿って高さ方向に移動可能なキャリア１０を備える。キャリア１０はパレット５４を高さ方向に動かしパレタイジング装置１４の形成表面１６に近接して位置づけるよう構成される。パレタイジング装置１４は物体がパレットリフト２のキャリア１０によって持ち上げられたパレット５４上に乗せられる前に供給コンベア２２を介してパレタイジング装置１４の供給側１８に供給される物体を形成表面１６上で形成するよう構成される。一度物体の層がパレット５４上に置かれると、パレットリフト２はパレット５４の層高を低くし、その後パレタイジング装置１４はパレット５４上に形成された物体の次の層を置くことが可能である。
【００２２】
パレタイジング装置１４に近接して第１の距離Ｄ１でその下に第１の支持表面３０が配置される。この第１の支持表面３０上に立つ操作者Ｏはパレタイジング装置１４を操作可能であり、故障の修復やメンテナス操作の実行のような操作を実行可能である。
【００２３】
第１の支持表面３０の下に距離Ｄ２において、第２の支持表面４０が配置される。この第２の支持表面４０上に内在する操作者Ｏはここからパレタイジング装置１４およびパレット５４の下側に快適な方法で届くことができ操作を実行可能である。考え得る操作は挿入シートの方向の位置づけおよび／または修正、故障の修復およびメンテナス操作の実行などである。
【００２４】
第１の支持表面３０は概ねパレタイジング装置１４の下側に近接して位置して形成表面１６の下たとえば０．８メートルの距離で配置される。０．８メートルの第１の距離Ｄ１は平均的身長を有する大人の操作者がパレタイジング装置１４に到達することを可能とするために理想的であることが知られている。
【００２５】
平均的身長を有する大人の操作者Ｏが、第２の支持表面４０上に立つときにそこからパレタイジング装置１４の下側の少なくとも一部に届くことを可能とするために、第１の支持表面３０の下に第２の支持表面４０が配置される第２の距離Ｄ２は示された実施形態では１．３メートルである。示された実施形態では、第１の距離Ｄ１および第２の距離Ｄ２を組み合わせた距離は０．８＋１．３＝２．１メートルであり、したがって第２の支持表面４０上に立つ平均的身長の人がパレタイジング装置１４の下側に頭をぶつけないのに十分な高さであるが、第１の支持表面３０と第２の支持表面４０との間の距離は直立する大人には不十分である。この理由により第１の支持表面３０および第２の支持表面４０は、さらに図４から図６で詳述されるように、操作者Ｏが下に横たわる第２の支持表面４０上で上側の第１の支持表面３０によって妨げられることなく直立姿勢をとることができるよう互いに具体化され向けられる。
【００２６】
図１から図３に示された組立はさらにパレット５４をパレットリフト２に供給しパレットリフト２から取り除くパレットコンベア５２を備える。パレットバッファ５６は同様に空のパレット５４の貯蔵のために提供される。
【００２７】
図４は図１から図３の組立の上面図であり、図５および図６は第１の支持表面３０（図５）および第２の支持表面４０（図６）の概略的な表現を示し、パレタイジング装置１４、供給コンベア２２およびパレットリフト２の輪郭は破線で示される。図５に示されるように、上側の第１の支持表面３０は長手方向部分３２およびこの長手方向部分３２に横断する２つの横断部分３４を備える。第１の支持表面３０はこうしてパレタイジング装置１４の少なくとも２つの側面に隣接し、これにより後者は操作者Ｏに容易にアクセス可能である。第１の支持表面３０上にはこの表面が地面から操作者Ｏにアクセス可能な階段５０が提供される。
【００２８】
第２の支持表面４０は同様に、長手方向部分４２を備え、示された実施形態において、２つの横断部分４４を備える。リフト２およびこれにより選択的に支持されたパレット５４もまたこうして先に示されたのと同様な方法で操作者Ｏによって少なくとも２つの側面からアクセス可能である。
【００２９】
示された実施形態ではさらに長手方向部分４６もまた提供され、これによりパレットリフト２それ自体は後方からもアクセス可能でありすなわち合計３側面からアクセス可能である。
【００３０】
図７に示されるように、第１の支持表面３０の横断部分３４および第２の支持表面４０の横断部分４４は、隣接して配置されるパレットリフト２および／またはパレタイジング装置１４がこれらの部分３４、４４からアクセス可能であるように大きな表面を有するように提供されると特に有利である。
【００３１】
本発明の好ましい実施形態を示すが、以上に説明した実施形態は本発明を単に図示するものにすぎず本発明の仕様を何ら限定するものではない。請求項における寸法が参照数字によって示されている場においても、そのような参照数字は請求項の理解のために提供するにすぎず、保護の範囲を何ら限定するものではない。説明された権利は以下の請求項によって規定され、その範囲内で多くの修正が想像可能である。
【図１】
0006661628.tif 000002
【図２】
0006661628.tif 000003
【図３】
0006661628.tif 000004
【図４】
0006661628.tif 000005
【図５】
0006661628.tif 000006
【図６】
0006661628.tif 000007
【図７】
0006661628.tif 000008